(57)【特許請求の範囲】
【請求項１】
所定の間隔をおいて互いに対向し合うように結合される光源側ケースと検出側ケースの上に立置き状に固定される浸漬型分析計用の洗浄装置であって、前記両ケースの上部に締結手段で基部を固定されるシリンダ本体と、そのシリンダ本体内に摺動自在に嵌装されるピストンと、そのピストンを上方に付勢するスプリングと、そのピストンに上端が貫通状態に固定され、下端が前記シリンダ本体の基部から下方に突出する中空軸と、その中空軸の上端開口に上方から対向するように設けられ、下方に付勢される逆止弁と、前記中空軸の下端に立向き状に固定されるリング状のワイパーブレードとを備え、前記ワイパーブレードの上半部は対向し合う前記光源側の光透過窓と検出側の光透過窓との間に所定の間隙を有する程度の厚さに設定されるとともに、その上半部に前記中空軸を接続させてその下端開口を前記ワイパーブレードの中空部に臨ませる一方、その下半部には、対向し合う前記光源側の光透過窓と検出側の光透過窓との間に挿入される半円弧状の弾性ブレードが設けられており、シリンダ本体への清水の加圧供給によって、前記両光透過窓よりも上方の待機位置にある前記ワイパーブレードが降下し、前記中空軸の下端開口から清水を吐出しつつ前記弾性ブレードを前記両光透過窓に摺接させてその両表面を洗浄した後、前記ワイパーブレードの中空部が前記両光透過窓と一致対応する降下位置にて前記ワイパーブレードが停止し、前記両光透過窓間に清水を満たしつつゼロ校正を可能とする一方、前記シリンダ本体への清水の供給を停止すると、前記スプリングの付勢力によって前記ワイパーブレードが待機位置に戻るように構成してなることを特徴とする分析計用洗浄装置。
【発明の詳細な説明】
【０００１】
【発明の属する技術分野】
本発明はたとえば光学的な減衰や散乱を原理とする液体の分析計用のセル窓を洗浄するための装置の技術分野に属する。
【０００２】
【発明が解決しようとする課題】
浸漬型の液体用分析計用を自動的に洗浄する装置は種々提案されており、例えば電動機によってワイパーを往復動作させてセル窓の汚れを拭き取るようにしたもの等がある。
【０００３】
しかし、従来の洗浄装置では、モータ等の駆動源を要して装置が大きくコスト高であり、また、洗浄後にそのまま校正ができるような配慮は施されていなかった。従って、校正するためには、装置を引き上げなければならず、煩に耐えなかった。
【０００４】
本発明はこのような実情に鑑みてなされ、洗浄後にそのまま校正が可能で安価な洗浄装置を提供することを目的としている。
【０００５】
【課題を解決するための手段】
本発明は上述の課題を解決するための手段を以下のように構成している。
すなわち、所定の間隔をおいて互いに対向し合うように結合される光源側ケースと検出側ケースの上に立置き状に固定される浸漬型分析計用の洗浄装置にあって、前記両ケースの上部に締結手段で基部を固定されるシリンダ本体と、そのシリンダ本体内に摺動自在に嵌装されるピストンと、そのピストンを上方に付勢するスプリングと、そのピストンに上端が貫通状態に固定され、下端が前記シリンダ本体の基部から下方に突出する中空軸と、その中空軸の上端開口に上方から対向するように設けられ、下方に付勢される逆止弁と、前記中空軸の下端に立向き状に固定されるリング状のワイパーブレードとを備え、前記ワイパーブレードの上半部は対向し合う前記光源側の光透過窓と検出側の光透過窓との間に所定の間隙を有する程度の厚さに設定されるとともに、その上半部に前記中空軸を接続させてその下端開口を前記ワイパーブレードの中空部に臨ませる一方、その下半部には、対向し合う前記光源側の光透過窓と検出側の光透過窓との間に挿入される半円弧状の弾性ブレードが設けられており、シリンダ本体への清水の加圧供給によって、前記両光透過窓よりも上方の待機位置にある前記ワイパーブレードが降下し、前記中空軸の下端開口から清水を吐出しつつ前記弾性ブレードを前記両光透過窓に摺接させてその両表面を洗浄した後、前記ワイパーブレードの中空部が前記両光透過窓と一致対応する降下位置にて前記ワイパーブレードが停止し、前記両光透過窓間に清水を満たしつつゼロ校正を可能とする一方、前記シリンダ本体への清水の供給を停止すると、前記スプリングの付勢力によって前記ワイパーブレードが待機位置に戻るように構成してなることを特徴としている。
【０００６】
【発明の実施の形態】
以下に本発明の分析計用洗浄装置の一実施形態を図面に基づいて詳細に説明する。
図１は洗浄装置の断面図、図４はその取付状態の側面図で、これらの図において、符号１はシリンダ本体、２はそのシリンダ本体１内に摺動自在に嵌装されるピストン、３はそのピストン２を上方に付勢するためのスプリング、４はそのピストン２に上端が貫通状態に固定され、下端がシリンダ本体１の基部から下方に突出する中空軸、５はその中空軸４の上端開口４１に上方から対向するように設けられる逆止弁、６はその逆止弁５を下方に付勢するスプリングである。
【０００７】
７は中空軸４の下端に立向き状に固定されるリング状のワイパーブレードで、光源側ケース９０と検出側ケース１００との間に挿入され〔図３（Ａ），（Ｂ）参照〕、その上半部７１は前記両光透過窓９，１０との間に所定の間隙を有する程度の厚さに設定され、かつその上半部７１に中空軸４を接続させてその下端開口４２を中空部に臨ませる一方、その下半部７２には、対向し合う光源側の光透過窓９と検出側の光透過窓１０との間に挿入される半円弧状の弾性ブレード８が設けられている。
【０００８】
このワイパーブレード７についてさらに説明すると、図２に示すように、その上半部７１は、半円弧状の二枚のプレート１７１，１７１を若干のすき間を設けて中空軸４の下端と接続一体化したものであり、下半部７２は、上部を切り欠き開放した円弧状の一枚のプレート１７２の表裏両面に、半円弧状の弾性ブレード８，８を貼着したもので、その弾性ブレード８は４列の半円弧状の凸条を有しており、そのプレート１７２の上部を二枚のプレート１７１，１７１間に嵌め入れてボルト孔ｂ，ｂにボルトを挿入してナットで締結することにより、その下半部７２が上半部７１と一体化される。
【０００９】
一方、シリンダ本体１についてさらに説明すると、１５はシリンダ本体１の上端部に螺合締結されるアパーシリンダエンド、１６はそのシリンダエンド１５の下部に螺合締結されるバルブ軸受けで、逆止弁５の弁軸５１を摺動自在に嵌挿支持する中央部１６１の周囲に４つの貫通孔１６２，…を有しており、スプリング６によって下方に付勢される逆止弁５の弁軸５１の上端に、抜け止め用のＥリング１７が掛止されている。
【００１０】
１８，１８１はリング状のストッパで、１８はスプリング３によって上方に付勢されるピストン２の上限位置を規制し、１８１はその下限位置を規制する。１９は中空軸４の上端に螺合され、ピストン２の上面に着座する六角ナット、２０は中空軸４のピストン２に対する抜け止め用のＥリング、２１はＯリング、２２はワイパー、２３はシリンダ本体の下部に螺合締結されるロワーシリンダエンド、２４はハット状のワッシャ、２５はそのワッシャ２４をロワーシリンダエンド２３に固定するためのボルト、２６はそのワッシャ２４内に嵌装されて中空軸４に密接被嵌するＯリング、２７はシリンダ本体１を光源側ケース９０と検出側ケース１００に立設状態に固定するための締結金具（締結手段）、２７１はその掛止部、２８は抜け止め用のボルト、２９はその締結金具２７を締め上げるためのボルトで、ロワーシリンダエンド２３のフランジ部に形成された貫通孔に挿入され、締結金具２７の上部フランジの螺子孔に螺合されている。なお、締結手段２７はシリンダ本体１を固定できるものであれば形式の如何は問わない。
【００１１】
光源側ケース９０と検出側ケース１００は、その両フランジ９１，１０１がスペーサ３１，…を介したボルト締結により所定の間隔をおいて互いに対向し合うように結合一体化され（図２参照）、その両フランジ９１，１０１の上にシリンダ本体１の基部（ロワーシリンダエンド２３）を着座させて締結金具２７の両掛止部２７１，２７１をスペーサ３１，３１に掛止させ、ボルト２９，２９で締結金具２７，２７を締め上げ固定することにより、シリンダ本体１を両ケース９０，１００上に立設状態に固定することができる。なお、３０はアパーシリンダエンド１５に接続された加圧清水供給用の弾性を有するホースである。
【００１２】
上述のようにシリンダ本体１を固定した両ケース９０，１００は、例えば図５に示されるように、地上に立設された支持部材３４に上端を固定された支持棒３５の下端に固定され、被検液３３中に浸漬される。このように、被検液３３中に浸漬された洗浄装置の洗浄動作を、図３（Ａ），（Ｂ）に基づいて以下に詳細に説明する。
【００１３】
当初、ワイパーブレード７は両ケース９０，１００間に挿入されて両光透過窓９，１０よりも上方の待機位置にあり、ホース３０を介して地上から清水が加圧（１〜５Ｋｇ／ｃｍ２  ）供給されると、ピストン２がスプリング３の付勢力に抗して押し下げられ、ワイパーブレード７が下動する。〔図３（Ａ）参照〕。その間、中空軸４の上端開口４１が逆止弁５から離れ、中空軸４内を流下した清水が下端開口４２から吐水される。
【００１４】
さらに、ワイパーブレード７が押し下げられ、その下半部７２に取り付けられた弾性ブレード８，８によって光源側ケース９０の光透過窓９と検出側ケース１００の光透過窓１０の表面が拭き取られ、付着していた汚れや異物が除去されつつ、そのワイパーブレード７が図３（Ｂ）に示す降下位置に至りその下動が停止する。
【００１５】
その降下位置では、ワイパーブレード７の中空部７３が両光透過窓９，１０と一致した状態に対応しており、かつ両弾性ブレード８，８が、その両光透過窓９，１０のまわりの両ケース９０，１００の前面と密接していることによって、その下半部と両光透過窓９，１０との間に半円弧状で上部開放の凹部を形成している。従って、中空軸４の下端開口４２から吐水される清水によって、当初、その凹部にあった被検水が追い出され、清水がその凹部を満たしつつ、上方に流れ去るようになり、両光透過窓９，１０間には清水が満たされることとなる。
【００１６】
このような清水の流動によって弾性ブレード８，８で払拭された汚れや異物等の汚染物質が洗い流されて外部に流失し、所定時間後には、両光透過窓９，１０間には清水のみが存在し、光学的に減衰や散乱のない、ゼロの状態が出現する。この状態下でゼロ校正をおこなうことができる。
【００１７】
ゼロ校正が終了すると、清水の送給を停止すれば、スプリング３の付勢力でピストン２が上動し、ワイパーブレード７が待機位置に戻る。その際に、中空軸４の上端開口４１が逆止弁５によって閉じられ、シリンダ本体１内への被検液の逆流が防止される。このように、洗浄のあと直ちにそのままの状態でゼロ校正をおこなうことができ、洗浄を伴うゼロ校正を含めた測定作業の能率が著しく向上する。
【００１８】
上述の洗浄のためのワイパーブレード７を作動させるピストン２の運動は単動型ではあるが、戻り動作の際にシリンダ本体１内の清水は中空軸４を通って外部（被検液３３）に放出されるため、特別な逃し弁は不要であり、たとえば構造が簡単で安価な２方電磁弁などを用いることにより、実質的に複動型のピストン運動を実現することが可能となり、コンパクト化と大幅なコストの低減化を図ることができる。なお、加圧水（清水）は中空軸４を通って被検液３３中に放出されるが、その中空軸４の長さや内径を適宜に設定することによって、水の粘性による流体抵抗で加圧側の圧力を確保することができ、ピストン２を充分下動させることができる。ちなみに、上述の洗浄は例えば１時間に１分程度おこなえばよい。
【００１９】
【発明の効果】
以上説明したように、本発明の分析計用洗浄装置によれば、シリンダ本体への清水の加圧供給により、待機位置にあるワイパーブレードを降下させ、中空軸の下端開口から清水を吐出しつつそのワイパーブレードに取り付けられている弾性ブレードを両光透過窓に摺接させてその両表面を洗浄した後、そのワイパーブレードの中空部を両光透過窓と一致対応する降下位置にてそのワイパーブレードを停止させ、両光透過窓間に清水を満たしつつゼロ校正を可能とする一方、シリンダ本体への清水の供給を停止すると、スプリングの付勢力によってワイパーブレードが待機位置に戻るように構成したので、両光透過窓の洗浄後、直ちにゼロ校正をおこなうことができ、洗浄を伴うゼロ校正を含めた測定作業をきわめて能率よくおこなうことができる。また、清水の加圧供給によるピストン運動で洗浄がおこなえるので、装置をコンパクトかつ安価なものとすることができる。
【図面の簡単な説明】
【図１】本発明の分析計用洗浄装置の一実施形態を示す縦断面図である。
【図２】同ワイパーブレードの分解説明図である。
【図３】（Ａ），（Ｂ）は同ワイパーブレードの洗浄動作の説明図である。
【図４】同取付状態の洗浄装置の側面図である。
【図５】同浸漬状態の洗浄装置とその支持構造の側面図である。
【符号の説明】
１…シリンダ本体、２…ピストン、３，６…スプリング、４…中空軸、４１…上端開口、４２…下端開口、５…逆止弁、７…ワイパーブレード、７１…上半部、７２…下半部、７３…中空部、８…弾性ブレード、９…光源側の光透過窓、１０…検出側の光透過窓、２７…締結手段、９０…光源側ケース、１００…検出側ケース。
【図１】
0003603213.tif 000002
【図２】
0003603213.tif 000003
【図３】
0003603213.tif 000004
【図４】
0003603213.tif 000005
【図５】
0003603213.tif 000006